(57)【特許請求の範囲】
【請求項１】
頂部に注出口を有し、壜体口筒の外周に組付く組付き筒（２）の後端部に係合部（４）を縦方向に設けると共に、該係合部（４）の一側端近傍に、前記組付き筒（２）の上端から下端に亘って肉薄溝状の後部弱化線（１１）を縦方向に形成し、頂部周縁に、前記後部弱化線（１１）の上端に連続する肉薄溝状の上部弱化線（１２）を略半周に亘って形成した易破断性合成樹脂製のキャップ本体（１）と、前記係合部（４）に係合して組付く係合体（１７）に、ヒンジ（２９）を介して、前記注出口を開閉する上蓋（１４）を連結した難破断性合成樹脂製の蓋体（１３）と、から構成したヒンジキャップ。
【請求項２】
易破断性合成樹脂として低密度ポリエチレンを使用し、難破断性合成樹脂としてポリプロピレンを使用した請求項１記載のヒンジキャップ。
【請求項３】
キャップ本体(1)の係合部(4)を、組付き筒(2)の後端面に縦方向に突設した両側一対の係合突条(5)で構成し、蓋体(13)の係合体(17)を、前記係合突条(5)に係合する両側一対の係合溝(19)を内部に設けた係合枠(18)で構成した請求項１または２記載のヒンジキャップ。
【請求項４】
キャップ本体(1)の係合部(4)を、組付き筒(2)の後端面に、先端部を複数の細い接続片(22)で該後端面に部分的に連結した片持ち状の枠板(21)を突設して、該後端面との間に、上下方向に貫通する係合孔(23)を形成することにより構成し、蓋体(13)の係合体(17)を、前記係合孔(23)に係合して組付く係合板(24)で構成した請求項１または２記載のヒンジキャップ。
【請求項５】
キャップ本体(1)の係合部(4)を、組付き筒(2)の後端面に、上下方向に貫通する係合孔(28)を開設した枠体(27)を突設して構成し、蓋体(13)の係合体(17)を、前記係合孔(28)に係合して組付く係合板(24)で構成した請求項１または２記載のヒンジキャップ。
【発明の詳細な説明】
【０００１】
【発明の属する技術分野】
本発明は、壜体に組付けられ、廃棄時においてこの壜体と容易に分別可能とした合成樹脂製ヒンジキャップに関するものである。
【０００２】
【従来の技術】
この種のヒンジキャップの従来例として、実用新案登録第２５９６６９９号公報記載のものが知られている。
【０００３】
この公報記載のヒンジキャップは、壜体口筒の外周に嵌着するキャップ本体の組付き筒に、ヒンジの一側端近傍の上端から下端に亘って縦方向の弱化線を設けると共に、キャップ本体の頂板に、前記弱化線の上部に連続した周方向の弱化線を設けて構成され、廃棄時には、ヒンジを介して一体に連結されている蓋体を引っ張ることにより、前記弱化線を破断してキャップ全体を壜体口筒から取外し、分別するようになっている。
【０００４】
また、合成樹脂製ヒンジキャップは、そのヒンジ部分に反復折り曲げに対する強度、耐久性を要求されることから、通常、ポリプロピレン等の難破断性合成樹脂で一体成形されている。
【０００５】
【発明が解決しようとする課題】
しかしながら、前記公報記載のような、キャップ本体に分別破断用の弱化線を設けたヒンジキャップを、難破断性合成樹脂で一体成形した場合、ヒンジに必要とされる強度、耐久性は充足される反面、前記弱化線は破断され難いため、分別廃棄時における弱化線の破断に大きな操作力を要し、この分別作業を迅速、円滑に行うことができない、と云う問題があった。
【０００６】
そこで、本発明は、上記した従来技術における問題点を解消すべく創案されたもので、ヒンジに要求される強度、耐久性を低下させることなく、分別廃棄時における弱化線の破断を小さい操作力で容易に行えるようにすることを技術的課題とし、もってヒンジキャップの分別を容易にかつ迅速、円滑に達成できるようにすることを目的とする。
【０００７】
【課題を解決するための手段】
上記技術的課題を解決する本発明の内、請求項１記載の発明の手段は、
頂部に注出口を有し、壜体口筒の外周に組付く組付き筒の後端部に係合部を縦方向に設けると共に、この係合部の一側端近傍に、組付き筒の上端から下端に亘って肉薄溝状の後部弱化線を縦方向に形成し、頂部周縁に、この後部弱化線の上端に連続する肉薄溝状の上部弱化線を略半周に亘って形成した易破断性合成樹脂製のキャップ本体を有すること、
キャップ本体の係合部に係合して組付く係合体に、ヒンジを介して、注出口を開閉する上蓋を連結した難破断性合成樹脂製の蓋体を有すること、
にある。
【０００８】
壜体口筒へのヒンジキャップの取り付けは、キャップ本体の係合部に、蓋体の係合体を係合させて一体に組付けた状態で、打栓等により行う。
【０００９】
分別廃棄時には、上蓋を開けて後方および側方へ引っ張ると、ヒンジ、係合体および係合部を介して、組付き筒の後端部が後部弱化線に沿って破断され、続いてキャップ本体の頂部周縁が上部弱化線に沿って略半周破断されるので、そのまま上蓋を引き上げれば、キャップ本体を壜体口筒から容易に取り外すことができる（図３参照）。
【００１０】
その場合において、キャップ本体は易破断性合成樹脂で成形されているので、上蓋の引っ張り操作による弱化線の破断を小さい操作力で容易に達成することができ、もってヒンジキャップの分別取外しを容易にかつ迅速、円滑に達成することができる。
【００１１】
請求項２記載の発明は、請求項１記載の発明に、易破断性合成樹脂として低密度ポリエチレンを使用し、難破断性合成樹脂としてポリプロピレンを使用した、ことを加えたものである。
【００１２】
この請求項２記載の発明にあっては、キャップ本体および蓋体を、安価にかつ良好な成形性で成形することができる。
【００１３】
請求項３記載の発明は、請求項１記載の発明に、キャップ本体の係合部を、組付き筒の後端面に縦方向に突設した両側一対の係合突条で構成し、蓋体の係合体を、キャップ本体の係合突条に係合する両側一対の係合溝を内部に設けた係合枠で構成した、ことを加えたものである。
【００１４】
この請求項３記載の発明にあっては、キャップ本体の係合部と蓋体の係合体との単純な相対昇降変位により、キャップ本体と蓋体との組付きを簡単に達成することができ、また難破断性合成樹脂製の係合体（蓋体側）で易破断性合成樹脂製の係合部（キャップ本体）を抱え込むようにして係合組付きするので、キャップ本体と蓋体との係合組付きが強固で安定したものとなる。
【００１５】
請求項４記載の発明は、請求項１記載の発明に、キャップ本体の係合部を、組付き筒の後端面に、先端部を複数の細い接続片でこの後端面に部分的に連結した片持ち状の枠板を突設して、この後端面との間に、上下方向に貫通する係合孔を形成することにより構成し、蓋体の係合体を、キャップ本体の係合孔に係合して組付く係合板で構成した、ことを加えたものである。
【００１６】
この請求項４記載の発明にあっては、蓋体を後方に引っ張ることにより、キャップ本体の接続片を簡単に破断して、枠板をキャップ本体の組付き筒から立ち上がり状に容易に変形させることができ、この枠板を立ち上がり状に変形させることにより、後部弱化線および上部弱化線の破断がきわめて容易となる。
【００１７】
請求項５記載の発明は、請求項１記載の発明に、キャップ本体の係合部を、組付き筒の後端面に、上下方向に貫通する係合孔を開設した枠体を設けて構成し、蓋体の係合体を、キャップ本体の係合孔に係合して組付く係合板で構成した、ことを加えたものである。
【００１８】
この請求項５記載の発明にあっては、キャップ本体の係合部と蓋体の係合体との単純な相対昇降変位により、キャップ本体と蓋体との組付きを簡単に達成することができ、またキャップ本体の係合部を機械的に強いものとすることができるので、キャップ本体に対する蓋体の係合組付きを、強固で安定したものとすることができる。
【００１９】
【発明の実施の形態】
以下、本発明の実施例を、図面を参照しながら説明する。
図１〜図３は第一実施例を示したもので、ヒンジキャップは、低密度ポリエチレン等の易破断性合成樹脂で成形され、壜体口筒に組付くキャップ本体１と、ポリプロピレン等の難破断性合成樹脂で成形され、キャップ本体１に組付く、ヒンジ２９付きの蓋体１３とから構成されている。
【００２０】
キャップ本体１は、壜体口筒の外周に嵌着する組付き筒２の上端内方に、頂壁３を介して、上蓋１４の周壁１５が係脱可能に外嵌する嵌着筒片８を起立設し、さらにその内方に、頂板６を介して、注出口を形成する注出筒片７が立設されている。
【００２１】
キャップ本体１の注出口の底面は、破断溝（図示省略）の内側部分を除去壁部とした口壁９で閉塞されており、この除去壁部は、その上面に一体設されたプルリング１０を使用時に引き上げることにより、破断溝部分で破断されて除去される。
【００２２】
組付き筒２の後端面には、係合部４を構成する、断面略Ｌ形の両側一対の係合突条５が縦方向に沿って設けてあると共に、この係合突条５の一側端近傍には、組付き筒２の上端から下端に亘って、肉薄溝状の後部弱化線１１が縦方向に形成されている。
【００２３】
また、頂壁３には、この後部弱化線１１の上端に連続し、係合部４の上位を経て、略半周に亘って形成された肉薄溝状の上部弱化線１２が設けてある。
【００２４】
蓋体１３は、キャップ本体１の係合部４に係合により不動に組付く係合体１７と、キャップ本体１の注出口を開閉する上蓋１４とを、ヒンジ２９で連結して構成されている。
【００２５】
係合体１７は、その下面および前面中央部が開口し、内部両側に、係合部４の両係合突条５に上方からスライドして係合する一対の係合溝１９を設けた箱状の係合枠１８で構成されており、その前面中央の開口部の両側内縁下端には、組付き状態において係合突条５の下端面に係止して抜けを防止する係止突起２０がそれぞれ突設されている（図２参照）。
【００２６】
上蓋１４の頂壁内面には、上蓋１４の閉状態において注出筒片７の内周面に密接して注出口を密閉する栓筒片１６が突設されている。
【００２７】
図４は第二実施例を示したもので、キャップ本体１の組付き筒２の後端面に、先端部を複数の細い接続片２２で、この後端面に部分的に連結した片持ち状の枠板２１を突設して、後端面との間に、上下方向に貫通する偏平な係合孔２３を形成することにより、係合部４を構成する。
【００２８】
また、後部弱化線１１は、この係合孔２３内の接続片２２と反対側の一側端位置に設ける。
【００２９】
一方、蓋体１３の係合体１７は、ヒンジ２９の前端に、係合部４の係合孔２３に上方からスライドして係合する略逆Ｌ形の係合板２４を連設して構成する。
【００３０】
この係合板２４の内面下端には、組付き状態において枠抜２１の下端面に係止して抜け出しを防止する係止突条２５が形成してあり、また係合板２４の両側方には、それぞれカバー片２６が一体設されている。
【００３１】
この実施例におけるヒンジキャップの分別取り外しでは、上蓋１４を後方へ引っ張ることにより、まず接続片２２が切断され、次いで弱化線１１、１２の順に破断されて、取り外し可能となる。
【００３２】
図５は第三実施例を示したもので、キャップ本体１の組付き筒２の後端面に、上下方向に貫通する偏平な係合孔２８を開設した枠体２７を突設して、係合部４を構成している。
【００３３】
なお、蓋体１３の構成は、第二実施例と同一であるので、図示を省略する（図４参照）。
【００３４】
【発明の効果】
本発明は、上記した構成となっているので、以下に示す効果を奏する。
請求項１記載の発明にあっては、分別破断用の弱化線を設けたキャップ本体を易破断性合成樹脂で成形し、ヒンジを付設した蓋体を難破断性合成樹脂で成形したので、ヒンジに要求される強度および耐久性を低下させることなく、分別廃棄時における、上蓋の引っ張り操作による弱化線の破断を、小さい操作力で容易に行うことができ、もって、壜体口筒からのヒンジキャップの分別取り外しを容易にかつ迅速、円滑に達成することができる。
【００３５】
請求項２記載の発明にあっては、充分な強度のヒンジを有すると共に、弱化線の破断処理が容易である請求項１記載の発明のヒンジキャップを、安価にかつ良好な成形性の基に成形することができる。
【００３６】
請求項３記載の発明にあっては、キャップ本体と蓋体との係合組付けが容易であると共に、キャップ本体に対する蓋体の係合組付きを強固で安定したものとすることができ、さらに弱化線の破断が容易である。
【００３７】
請求項４記載の発明にあっては、蓋体を引っ張ることによる弱化線の破断が簡単で容易となり、これによりヒンジキャップの分別処理が行い易い。
【００３８】
請求項５記載の発明にあっては、キャップ本体と蓋体との係合組付けが容易であると共に、キャップ本体に対する蓋体の係合組付きを強固で安定したものとすることができる。
【図面の簡単な説明】
【図１】本発明の第一実施例を示す、分解斜視図。
【図２】図１に示した実施例における蓋体の、別方向からの斜視図。
【図３】図１に示した実施例の、分別破断状態を示す斜視図。
【図４】本発明の第二実施例を示す、分解斜視図。
【図５】本発明の第三実施例を示す、キャップ本体の斜視図。
【符号の説明】
１  ；  キャップ本体
２  ；  組付き筒
３  ；  頂壁
４  ；  係合部
５  ；  係合突条
６  ；  頂板
７  ；  注出筒片
８  ；  嵌着筒片
９  ；  口壁
１０；  プルリング
１１；  後部弱化線
１２；  上部弱化線
１３；  蓋体
１４；  上蓋
１５；  周壁
１６；  栓筒片
１７；  係合体
１８；  係合枠
１９；  係合溝
２０；  係止突起
２１；  枠板
２２；  接続片
２３；  係合孔
２４；  係合板
２５；  係止突条
２６；  カバー片
２７；  枠体
２８；  係合孔
２９；  ヒンジ
【図１】
0004501203.tif 000002
【図２】
0004501203.tif 000003
【図３】
0004501203.tif 000004
【図４】
0004501203.tif 000005
【図５】
0004501203.tif 000006